(57)【要約】      （修正有）【課題】地震時であっても、移動体をスムーズに移動させることができ、これによりマグネットとリードスイッチとの間の誤作動を抑えることができる差圧検出装置を提供する。【解決手段】差圧検出装置１０は差圧容器１１と、移動体１２とベローズ１３とを備えている。移動体１２に移動体１２とともに移動するマグネット１５が設けられ、差圧容器１１内にマグネット１５と協働して作動するリードスイッチ１６が設けられている。移動体１２の上側に第１ショックアブソーバ２１が設けられ、移動体１２の下側に第２ショックアブソーバ２２が設けられている。差圧容器１１にはガイド体１７が設けられ、移動体１２はガイド体１７の外周を摺動する摺動体１２ａを有する。【選択図】図１
0003221482.tif 000002
【実用新案登録請求の範囲】
【請求項１】
差圧検出装置において、
差圧容器と、前記差圧容器内に移動自在に設けられた移動体と、
前記移動体とともに前記差圧容器内を高圧室と低圧室とに区画するベローズと、
前記移動体に当接し、前記移動体とともに移動するマグネットと、
前記差圧容器側に設けられ、前記マグネットと協働して作動するリードスイッチとを
備え、前記差圧容器と前記移動体との間にショックアブソーバを設け、前記差圧容器と前記移動体のうちいずれか一方もしくは両方に、前記移動体を案内するガイド体を設け、他方に前記ガイド体に沿って摺動する摺動体を設けた、差圧検出装置。
【請求項２】
前記ショックアブソーバは前記移動体の移動方向一側に設けられた第１ショックアブソーバと、前記移動体の移動方向他側に設けられた第２ショックアブソーバとからなる、請求項１記載の差圧検出装置。
【請求項３】
前記摺動体は前記移動体の一部からなり、前記差圧容器に前記ガイド体を設け、前記摺動体は前記ガイド体の内面を摺動する、請求項１または２記載の差圧検出装置。
【請求項４】
前記第１ショックアブソーバと前記第２ショックアブソーバのショック吸収エネルギー値に強弱差を設ける、請求項２記載の差圧検出装置。
【考案の詳細な説明】
【技術分野】
【０００１】
本考案は、差圧検出装置に関する。
【背景技術】
【０００２】
放射性流体や高腐食性流体、その他人体への有害な流体等を取り扱うプロセスの容器類の内部は、これらの物質を閉じ込めるために外気に対して常に負圧に維持されている。
【０００３】
このような負圧環境において液位や圧力等の物理的変化を検出するため差圧検出装置が用いられている。
【０００４】
このような負圧環境における液位や圧力を検出するための差圧検出装置は、差圧が生じた際、この差圧に応じて移動する移動体と、マグネットと、リードスイッチとを有する。
【０００５】
ところで、差圧検出装置は、地震等の外部からの加振時において移動体がスムーズに移動できず、誤作動が生じることがある。
【先行技術文献】
【特許文献】
【０００６】
【特許文献１】特開２０１０−２５７７０７号公報
【考案の概要】
【考案が解決しようとする課題】
【０００７】
本考案はこのような点を考慮してなされたものであり、外部からの加振時においても移動体がスムーズに移動することができ、これにより誤作動が生じることがない差圧検出装置を提供することを目的とする。
【課題を解決するための手段】
【０００８】
本考案は、差圧検出装置において、差圧容器と、前記差圧容器内に移動自在に設けられた移動体と、前記移動体とともに前記差圧容器内を高圧室と低圧室とに区画するベローズと、前記移動体に当接し、前記移動体とともに移動するマグネットと、前記差圧容器側に設けられ、前記マグネットと協働して作動するリードスイッチとを備え、前記差圧容器と前記移動体との間にショックアブソーバを設け、前記差圧容器と前記移動体のうちいずれか一方に、前記移動体を案内するガイド体を設け、他方に前記ガイド体に沿って摺動する摺動体を設けた、差圧検出装置である。
【０００９】
本考案は、前記ショックアブソーバは前記移動体の移動方向一側に設けられた第１ショックアブソーバと、前記移動体の移動方向他側に設けられた第２ショックアブソーバとからなる、差圧検出装置である。
【００１０】
本考案は、前記摺動体は前記移動体の一部からなり、前記差圧容器に前記ガイド体を設け、前記摺動体は前記ガイド体の内面を摺動する、差圧検出装置である。
【００１１】
本考案は、前記第１ショックアブソーバと前記第２ショックアブソーバのショック吸収エネルギー値に強弱差を設ける、差圧検出装置である。
【考案の効果】
【００１２】
本考案によれば、地震時でも移動体をスムーズに移動させることができ、これによりマグネットとリードスイッチとの間で誤作動が生じることはない。
【図面の簡単な説明】
【００１３】
【図１】本考案に係る差圧検出装置を示す側断面図。
【考案を実施するための形態】
【００１４】
以下、図面を参照して本考案の一実施の形態について説明する。図１は本考案による差圧検出装置の一実施の形態を示す図である。
【００１５】
図１に示すように、本考案による差圧検出装置は、例えば原子力施設や化学プラント等において閉じ込め機能を維持するために、建屋や容器類等の内部を負圧で使用される各種設備の液位や流量、圧力等の物理的変化により生じる差圧の測定に適用することができる。
【００１６】
このような差圧検出装置１０は、差圧容器１１と、差圧容器１１内に移動方向Ｌに沿って移動自在に設けられた移動体１２と、移動体１２に連結されこの移動体１２とともに差圧容器１１内を高圧室１１ａと低圧室１１ｂとに区画するベローズ１３とを備えている。このうち高圧室１１ａは高圧側１１Ａに連通し、低圧室１１ｂは低圧側１１Ｂに連通している。
【００１７】
また差圧容器１１内には移動体１２に当接して移動体１２とともに移動方向Ｌに沿って移動するマグネット１５が設けられている。このマグネット１５は差圧容器１１内に設けられたマグネット用ホルダ１５ａにより保持され、このマグネット用ホルダ１５ａ内を移動方向Ｌに沿って移動するようになっている。また差圧容器１１内であってマグネット用ホルダ１５ａの外周には、マグネット１５と協働して作動するリードスイッチ１６が設けられ、このリードスイッチ１６はマグネット１５が接近すると作動し、マグネット１５が離れるとその作動を停止する。
【００１８】
また、マグネット用ホルダ１５ａ内であって、マグネット１５の上部には、マグネット１５を常時移動体１２側へ付勢してこのマグネット１５を移動体１２に当接させるマグネット用スプリング１５ｂが設けられている。
【００１９】
さらに、差圧容器１１内には、移動体１２の移動方向Ｌの一側（移動方向上側）に、移動体１２の上面に常時当接して移動体１２をスムーズに移動させる第１ショックアブソーバ２１が設けられている。また移動体１２の移動方向Ｌの他側（移動方向下側）に、移動体１２の下面に常時当接して移動体１２をスムーズに移動させる第２ショックアブソーバ２２が設けられている。これら第１ショックアブソーバ２１と第２ショックアブソーバ２２は、いずれもスプリング（図示せず）を内蔵しており、移動体１２に当接して移動体１２の急激な移動を抑え、移動体１２をスムーズに移動させるためのものである。また、第１ショックアブソーバ２１と第２ショックアブソーバ２２のショック吸収エネルギー値に、強弱差が設けられている。
【００２０】
また第１ショックアブソーバ２１の外周には、移動体１２に当接し、この移動体１２を常時下方へ付勢する移動体用スプリング２３が設けられている。
【００２１】
さらにまた、移動体１２はその下方に円筒状の摺動体１２ａを有する。また差圧容器１１内の下部には、円筒状の摺動体１２ａ内に嵌め込まれるガイド体１７が設けられ、移動体１２の摺動体１２ａはガイド体１７の外周を摺動して、このガイド体１７により上下方向に案内される。
【００２２】
次にこのような構成からなる本実施の形態の作用について説明する。
【００２３】
まず上述した構成をもつ差圧検出装置１０は、負圧環境下に設置される。図１は差圧検出装置１０の初期状態を示し、この初期状態において高圧側１１Ａの圧力と低圧側１１Ｂの圧力は等しい。
【００２４】
次に液位や圧力等に関し、物理的変化が生じた場合、高圧側１１Ａと低圧側１１Ｂとの間で差圧が生じる。
【００２５】
この場合、高圧室１１ａが低圧室１１ｂより高圧となり、高圧室１１ａと低圧室１１ｂとの間に圧力差が生じ、ベローズ１３が移動体用スプリング２３の力に抗して伸長し、移動体１２は移動方向Ｌ方向へ上昇する。
【００２６】
このとき、移動体１２の摺動体１２ａがガイド体１７外面に沿って上方へ移動する。このためたとえ地震時であっても、移動体１２が差圧容器１１内で図１に示す左右方向に振れたり、差圧容器１１内で傾いたりすることはなく、移動体１２は差圧容器１１内で移動方向Ｌに沿って上方へ真っ直ぐに移動する。
【００２７】
この間、移動体１２はその上面に当接する第１ショックアブソーバ２１と、その下面に当接する第２ショックアブソーバ２２とにより、上下方向から常時押圧されている。このため高圧室１１ａと低圧室１１ｂとの間に大きな差圧が生じても、移動体１２が急激に上昇することはなく、移動体１２は差圧容器１１内で移動方向Ｌに沿ってゆっくり移動する。
【００２８】
このように高圧室１１ａと低圧室１１ｂとの間に差圧が生じた場合、地震時であっても差圧容器１１内で移動体１２を移動方向Ｌに沿って上方へ真っ直ぐに、かつゆっくりと移動させることができる。
【００２９】
次に移動体１２の上方への移動に伴って、マグネット１５がマグネット用ホルダ１５ａ内をマグネット用スプリング１５ｂの力に抗して上昇し、マグネット１５がリードスイッチ１６に接近してリードスイッチ１６を作動させる。リードスイッチ１６が作動すると、作動信号がリード線を介して制御部（図示せず）に送られ、高圧側１１Ａと低圧側１１Ｂとの間に差圧が生じたことが検出される。
【００３０】
この場合、差圧容器１１内において移動体１２は移動方向Ｌに沿って上方へ真っ直ぐにかつゆっくりと移動するため、例えば移動体１２が傾いて上方へ移動したり、あるいは急速に上方へ移動する場合に比べて、マグネット１５によりリードスイッチ１６が誤作動する恐れを低減することができる。
【００３１】
その後、高圧側１１Ａと低圧側１１Ｂとが同一圧力をもち、高圧側１１Ａと低圧側１１Ｂとの間の差圧がなくなると、移動体１２は移動体用スプリング２３の力により降下する。同時にマグネット１５もマグネット用スプリング１５ｂの力によりマグネット用ホルダ１５ａ内を降下し、マグネット１５がリードスイッチ１６から離れてリードスイッチ１６の作動が停止する。
【００３２】
以上のように本実施の形態によれば、地震時であっても差圧容器１１内において移動体１２は移動方向Ｌに沿って上方へ真っ直ぐに、かつゆっくりと移動するため、マグネットとリードスイッチとの間の誤作動を確実に抑えることができる。
【符号の説明】
【００３３】
１０  差圧検出装置
１１  差圧容器
１２  移動体
１２ａ  摺動体
１３  ベローズ
１５  マグネット
１５ａ  マグネット用ホルダ
１５ｂ  マグネット用スプリング
１６  リードスイッチ
１７  ガイド体
２０  ショックアブソーバ
２１  第１ショックアブソーバ
２２  第２ショックアブソーバ
２３  移動体用スプリング
【図１】
0003221482.tif 000003